(57)【要約】【課題】感度を自動的に設定するとともに、撮影によって得られる画像の画質を予測可能にする。【解決手段】被写体に対する測光結果に基づいて、絞り、シャッタースピードおよび感度の３つのパラメータのうち、少なくとも感度のパラメータを自動的に設定する。モード４はシャッタースピード・絞り優先モードであり、感度（Ｓｖ値）を自動的に設定する。モード６は絞り優先プログラムモードであり、シャッタースピード（Ｔｖ値）と感度（Ｓｖ値）を自動的に設定する。モード７はシャッタースピード優先プログラムモードであり、絞り（Ａｖ値）と感度（Ｓｖ値）を自動的に設定する。モード８は全プログラムモードであり、シャッタースピード（Ｔｖ値）と絞り（Ａｖ値）と感度（Ｓｖ値）を自動的に設定する。【選択図】　　　　図３
2004104673.tif 000002
【特許請求の範囲】
【請求項１】
被写体に対する測光を行う測光手段と、前記測光手段による測光結果に基づいて、絞り、シャッタースピードおよび感度の３つのパラメータのうち、少なくとも感度のパラメータを自動的に設定する感度設定手段と、前記感度の設定値を表示する感度表示手段とを備えることを特徴とするデジタルカメラ。
【請求項２】
前記感度設定手段が、絞りおよびシャッタースピードのパラメータを優先的に設定することを特徴とする請求項１に記載のデジタルカメラ。
【請求項３】
前記感度設定手段が、絞りおよびシャッタースピードの一方を優先的に設定し、絞りおよびシャッタースピードの他方と感度とをプログラム線図に従って設定することを特徴とする請求項１に記載のデジタルカメラ。
【請求項４】
前記感度設定手段が、前記絞り、シャッタースピードおよび感度の３つのパラメータのうちの優先的に設定するパラメータを変更可能であることを特徴とする請求項１に記載のデジタルカメラ。
【請求項５】
前記感度設定手段が、前記感度表示手段が前記感度を表示した後、前記絞り、シャッタースピードおよび感度の３つのパラメータのうちの優先的に設定するパラメータを変更可能であることを特徴とする請求項４に記載のデジタルカメラ。
【発明の詳細な説明】
【０００１】
【発明の属する技術分野】
本発明はデジタルカメラに関し、特に、露出条件の設定に関する。
【０００２】
【従来の技術】
銀塩カメラでは、装てんされているフィルムの感度と測光結果に従って、絞りとシャッタースピードが決定される。例えば絞り優先プログラムモードの場合、測光によってＢｖ値が得られると、フィルムのＩＳＯ感度に対応したプログラム線図に従って、そのとき設定されている絞り値に応じてシャッタースピードが決定される。フィルムの感度は、そのフィルムに固有のものであり、フィルムを交換しない限り変更することはない。このため従来、デジタルカメラにおいても、記録媒体の感度を優先的に定めて、絞りやシャッタースピードが決定されている。
【０００３】
【発明が解決しようとする課題】
記録媒体の感度は記録画像の画質に影響する。一方、絞りとシャッタースピードは被写界深度やブレなど絵作りに影響する。したがって、感度を優先的に決めてしまうと、自由な絵作りが制限されてしまう。
【０００４】
そこで本発明は、感度を自動的に設定するとともに、そのときの露出条件によって得られる画質を予測できるデジタルカメラを提供することを目的としている。
【０００５】
【課題を解決するための手段】
本発明に係るデジタルカメラは、被写体に対する測光を行う測光手段と、測光手段による測光結果に基づいて、絞り、シャッタースピードおよび感度の３つのパラメータのうち、少なくとも感度のパラメータを自動的に設定する感度設定手段と、感度の設定値を表示する感度表示手段とを備えることを特徴としている。
【０００６】
感度設定手段は、絞りおよびシャッタースピードのパラメータを優先的に設定してもよい。また感度設定手段は、絞りおよびシャッタースピードの一方を優先的に設定し、絞りおよびシャッタースピードの他方と感度とをプログラム線図に従って設定してもよい。
【０００７】
感度設定手段は、絞り、シャッタースピードおよび感度の３つのパラメータのうちの優先的に設定するパラメータを変更可能、すなわち露出モードが変更可能であることが好ましい。露出モードの変更は、感度表示手段が感度を表示した後であることが好ましく、これにより感度の変更が簡単になる。
【０００８】
【発明の実施の形態】
以下、本発明の実施形態を図面を参照して説明する。
図１は、本発明の一実施形態を適用したデジタルカメラを後方から見た斜視図である。
【０００９】
このデジタルカメラは一眼レフカメラであり、交換レンズ１１はカメラ本体９０に着脱自在に取り付けられる。交換レンズ１１には絞り環９８が回転自在に設けられている。カメラ本体９０の上部の中央には光学ファインダ９１が設けられ、背面９２の略中央には液晶パネル（画像ＬＣＤ）４６が設けられている。液晶パネル４６では、交換レンズ１１によって得られた画像が動画として表示され、また撮影動作によってＰＣカード等の記録媒体（図示せず）に記録された静止画像が表示可能である。液晶パネル４６の横には、モード設定スイッチ９５が設けられている。モード設定スイッチ９５は各種の動作モードを設定するために設けられ、図示実施形態ではジョグダイアルである。
【００１０】
カメラ本体９０を背面から見たとき、カメラ本体９０の上部の右側にはシャッタ釦９３とシャッタースピード設定スイッチ９４と状態表示装置５６が設けられ、左側には感度設定スイッチ９７が設けられている。シャッタ釦９３を半押しすることによって、測光、測距等が行われ、全押しすることによって静止画がＰＣカードに記録される。シャッタースピード設定スイッチ９４を操作することによって、シャッタースピードが設定され、感度設定スイッチ９７を操作することによって感度が設定される。状態表示装置５６は液晶表示素子から構成され、この液晶表示素子にはデジタルカメラの種々の設定状態が文字または記号として表示される。
【００１１】
カメラ本体９０の側面にはカードスロット９６が形成されている。カードスロット９６はＰＣカードをカメラ本体９０内に挿入するために設けられ、カードスロット９６の内部にはＰＣカードが装着されるカードコネクタ（図示せず）が設けられている。
【００１２】
図２はデジタルカメラの主に電気的構成を示すブロック図である。このカメラの動作はマイコンを備えたシステムコントローラ３１によって制御される。すなわちシステムコントローラ３１の制御により、液晶パネル４６に動画あるいは静止画が表示され、ＰＣカードに静止画が記録される。
【００１３】
交換レンズ１１はマウントピン１２、１３、１４を介して、カメラ本体９０（図１）内に設けられた電気回路に電気的に接続される。交換レンズ１１のレンズ鏡筒内には、撮影光学系である前群レンズ１５と後群レンズ１６が設けられ、これらのレンズ１５、１６の間には絞り１７が設けられている。各レンズ１５、１６に対する焦点調節はレンズ制御回路１８によって行われ、ズーミング動作はズームモータ１９によって行われる。レンズ制御回路１８とズームモータ１９は、カメラ本体内に設けられたシステムコントローラ３１からマウントピン１３、１４を介して送られてくる制御信号に従って動作する。絞り１７は、カメラ本体内に設けられた絞り駆動回路３２からマウントピン１２を介して送られてくる制御信号に従って動作し、絞り１７の開度が調節される。絞り駆動回路３２はシステムコントローラ３１によって制御される。
【００１４】
カメラ本体内において、レンズ１５、１６の光軸上には、クイックリターンミラー２１が設けられている。クイックリターンミラー２１は、図示された傾斜状態と上方へ回動した水平状態との間において回動自在である。クイックリターンミラー２１の上方にはピント板２２が設けられ、ピント板２２の上方にはペンタプリズム２３が設けられている。ペンタプリズム２３の後方にはファインダ９１（図１）の接眼レンズ２４が配設されている。
【００１５】
クイックリターンミラー２１の後方には、シャッタ２５が設けられ、シャッタ２５の後方には赤外カットフィルタ２６と光学ローパスフィルタ２７が設けられている。光学ローパスフィルタ２７の後方にはＣＣＤ（撮像素子）３３が設けられている。すなわち、クイックリターンミラー２１、シャッタ２５、赤外カットフィルタ２６、光学ローパスフィルタ２７、ＣＣＤ３３は、レンズ１５、１６の光軸上に配置されている。
【００１６】
クイックリターンミラー２１の回転動作はミラー駆動回路３４によって駆動され、シャッタ２５の開閉動作はシャッタ駆動回路３５によって駆動される。ミラー駆動回路３４とシャッタ駆動回路３５はシステムコントローラ３１によって制御される。
【００１７】
通常、ミラー２１は傾斜状態に定められており、交換レンズ１１から取込まれた光をペンタプリズム２３側に導く。このときシャッタ２５は閉じており、ＣＣＤ３３に向かう光路を閉塞している。これに対し撮影が行なわれる時、ミラー２１はミラー駆動回路３４の制御により上方に回動せしめられ、水平状態となる。このミラー２１の回動にともない、シャッタ２５はシャッタ駆動回路３５の制御により開口せしめられ、交換レンズ１１から取込まれた光はＣＣＤ３３の受光面に照射される。すなわち、受光面にはレンズ１５、１６によって得られた画像が形成され、ＣＣＤ３３では、画像に対応した撮像信号が生成される。
【００１８】
システムコントローラ３１にはパルス信号発生回路（ＰＰＧ）３６が接続され、パルス信号発生回路３６はシステムコントローラ３１の制御によって種々のパルス信号を発生する。これらのパルス信号に基づいて、ＣＣＤ駆動回路３７とＡ／Ｄ変換器３８と画像信号処理回路３９とが駆動され、ＣＣＤ駆動回路３７によりＣＣＤ３３の動作が制御される。またシステムコントローラ３１にはアンプ４８が接続されている。ＣＣＤ３３から読み出された撮像信号は、アンプ４８において増幅され、Ａ／Ｄ変換器３８によってデジタルの画像データに変換される。この画像データは、画像信号処理回路３９において所定の画像処理を施される。画像信号処理回路３９には、１つの画像に対応した画像データを格納するために十分な容量を有する画像バッファメモリ４０が接続されている。
【００１９】
また画像信号処理回路３９には、モニタインターフェース４１とカードインターフェース４２とが接続されている。これらのインターフェース４１、４２はシステムコントローラ３１によって制御される。
【００２０】
モニタインターフェース４１には、液晶駆動回路４４を介してバックライト４５と液晶パネル４６が接続されている。液晶パネル４６では、前述したように、画像バッファメモリ４０から読み出された画像データに基づいて、液晶駆動回路４４が制御され、静止画像が表示される。カードインターフェース４２にはカードコネクタ４７が接続され、カードコネクタ４７にはＰＣカード４３が装着可能である。
【００２１】
システムコントローラ３１には、ＡＦセンサ５１と測光センサ５２とオートホワイトバランス（ＡＷＢ）センサ５３が接続されている。ＡＦセンサ５１は従来公知の構成を有し、ＡＦセンサ５１によって、レンズ１５、１６の焦点調節状態が測定される。測光センサ５２によって、露光時の絞り１７の開度とＣＣＤ３３における電荷蓄積時間（露光時間）とを決定するための測光が行なわれる。オートホワイトバランスセンサ５３によって、周囲光の色温度が測定される。
【００２２】
またシステムコントローラ３１には、測光スイッチ５４とレリーズスイッチ５５と状態表示装置５６が接続されている。測光スイッチ５４はシャッタ釦９３を半押しすることによってオン状態となり、これにより、測光センサ５２によって測光が行なわれる。レリーズスイッチ５５はシャッタ釦９３を全押しすることによってオン状態となり、これにより、シャッタ２５が開閉駆動される。すなわちＣＣＤ３３が露光され、ＣＣＤ３３には画像に対応した撮像信号が発生する。
【００２３】
さらにシステムコントローラ３１には、モード設定スイッチ９５とシャッタースピード設定スイッチ９４と感度設定スイッチ９７が接続されている。モード設定スイッチ９５は上述したようにジョグダイアルであり、ジョグダイアルを所定の回転位置に定めることによって、液晶パネル４６に表示された設定メニューから所定のモードが選択され、ジョグダイアルを押すことによって、そのモードが設定される。
【００２４】
図３は状態表示装置５６の表示画面に表示される、各露出モードにおける表示例を示している。本実施形態では、モード１〜モード８の８種類の露出モードが選択可能であり、これらはモード設定スイッチ９５を操作することによって選択される。各露出モードでは、シャッタースピード、絞りおよび感度に対応したパラメータであるＴｖ値、Ａｖ値およびＳｖ値が、マニュアルにより、あるいは自動的に設定される。
【００２５】
モード１はマニュアルモードであり、シャッタースピードと絞りと感度はマニュアルによって設定される。シャッタースピードはシャッタースピード設定スイッチ９４によって設定される。絞りは絞り環９８によって設定され、感度は感度設定スイッチ９７によって設定される。感度（Ｓｖ値）に応じてアンプ４８のゲインが決定され、図４には感度とゲインの関係の一例が示されている。状態表示装置５６の画面において、上段には「Ｔｖ」と「Ａｖ」と「Ｓｖ」の文字が表示されており、これはシャッタースピードと絞りと感度がそれぞれマニュアルによって設定されることを示している。画面の下段において、Ｔｖの下側にはシャッタースピードの値（図３では「３０」）が表示され、Ａｖの下側には絞りの値（図３ではＦ８．０）が表示され、Ｓｖの下側には感度の値（図３では「ＩＳＯ１００」）が表示される。
【００２６】
モード２は絞り・感度優先モードであり、絞りと感度はマニュアルによって設定される。状態表示装置５６の画面において、上段には絞りと感度に対応した「Ａｖ」と「Ｓｖ」の文字が表示されており、これは絞りと感度がそれぞれマニュアルによって設定されることを示している。画面の下段には、シャッタースピードと絞りと感度の各値が表示されており、シャッタースピードは測光演算の結果に従って自動的に設定される。すなわち、例えば絞り環９８を回転させて絞りを変更すると、測光演算の結果に応じてシャッタースピードが自動的に変化する。
【００２７】
モード３はシャッタースピード・感度優先モードであり、シャッタースピードと感度はマニュアルによって設定される。状態表示装置５６の画面において、上段にはシャッタースピードと感度に対応した「Ｔｖ」と「Ｓｖ」の文字が表示されている。画面の下段には、シャッタースピードと絞りと感度の各値が表示されており、絞りは測光演算の結果に従って自動的に設定される。例えば感度設定スイッチ９７を回転させて感度を変更すると、測光演算の結果に応じて絞りが自動的に変化する。
【００２８】
モード４はシャッタースピード・絞り優先モードであり、シャッタースピードと絞りはマニュアルによって設定される。状態表示装置５６の画面において、上段にはシャッタースピードと絞りに対応した「Ｔｖ」と「Ａｖ」の文字が表示されている。画面の下段には、シャッタースピードと絞りと感度の各値が表示されており、感度は測光演算の結果に従って自動的に設定される。例えばシャッタースピード設定スイッチ９４を回転させてシャッタースピードを変更すると、測光演算の結果に応じて感度が自動的に変化する。
【００２９】
モード５は感度優先プログラムモードであり、感度はマニュアルによって設定され、シャッタースピードと絞りはプログラム線図に従って設定される。状態表示装置５６の画面において、上段には「ＴｖＰ」と「ＡｖＰ」と「Ｓｖ」の文字が表示されており、これはシャッタースピードと絞りがそれぞれプログラム線図に従って設定されることを示している。画面の下段には、シャッタースピードと絞りと感度の各値が表示されている。感度設定スイッチ９７を回転させて感度を変更すると、測光演算の結果に応じて、プログラム線図に従ってシャッタースピードと絞りが自動的に変化する。
【００３０】
モード６は絞り優先プログラムモードであり、絞りはマニュアルによって設定され、シャッタースピードと感度はプログラム線図に従って設定される。状態表示装置５６の画面において、上段には「ＴｖＰ」と「Ａｖ」と「ＳｖＰ」の文字が表示されており、これはシャッタースピードと感度がそれぞれプログラム線図に従って設定されることを示している。画面の下段には、シャッタースピードと絞りと感度の各値が表示されている。絞り環９８を回転させて絞りを変更すると、測光演算の結果に応じて、プログラム線図に従ってシャッタースピードと感度が自動的に変化する。
【００３１】
モード７はシャッタースピード優先プログラムモードであり、シャッタースピードはマニュアルによって設定され、絞りと感度はプログラム線図に従って設定される。状態表示装置５６の画面において、上段には「Ｔｖ」と「ＡｖＰ」と「ＳｖＰ」の文字が表示されており、これは絞りと感度がそれぞれプログラム線図に従って設定されることを示している。画面の下段には、シャッタースピードと絞りと感度の各値が表示されている。シャッタースピード設定スイッチ９４を回転させてシャッタースピードを変更すると、測光演算の結果に応じて、プログラム線図に従って絞りと感度が自動的に変化する。
【００３２】
モード８は全プログラムモードであり、シャッタースピードと絞りと感度はプログラム線図に従って設定される。状態表示装置５６の画面において、上段には「ＴｖＰ」と「ＡｖＰ」と「ＳｖＰ」の文字が表示されており、これはシャッタースピードと絞りと感度がそれぞれプログラム線図に従って設定されることを示している。画面の下段には、シャッタースピードと絞りと感度の各値が表示されている。このモードでは、シャッタースピードと絞りと感度は測光演算の結果に応じて、プログラム線図に従って設定され、ユーザーが自由に選択することはできない。
【００３３】
図５〜１３は、露出モードを選択して撮影動作を実行する撮影動作制御ルーチンのフローチャートである。撮影動作制御ルーチンはシステムコントローラ３１によって実行される。
【００３４】
ステップ１０１ではモード設定スイッチ９５（図１）の設定状態が検出され、露出モードが選択される。ステップ１０２では、モード１（マニュアルモード）が選択されているか否かが判定される。モード１が選択されているとき、マニュアルモードによって撮影動作を実行すべくステップ２０１へ進む。モード１が選択されていないとき、ステップ１０３においてモード２（絞り・感度優先モード）が選択されているか否かが判定される。モード２が選択されているとき、絞り・感度優先モードを実行すべくステップ３０１へ進み、モード２が選択されていないとき、ステップ１０４へ進む。
【００３５】
上述したのと同様にして、ステップ１０４においてモード３（シャッタースピード・感度優先モード）が選択されていると判定されたときはステップ４０１へ進み、ステップ１０５においてモード４（シャッタースピード・絞り優先モード）が選択されていると判定されたときはステップ５０１へ進む。ステップ１０６においてモード５（感度優先プログラムモード）が選択されていると判定されたときはステップ６０１へ進み、ステップ１０７においてモード６（絞り優先プログラムモード）が選択されていると判定されたときはステップ７０１へ進む。また、ステップ１０８においてモード７（シャッタースピード優先プログラムモード）が選択されていると判定されたときは、ステップ８０１へ進み、モード７が選択されていないと判定されたときはモ−ド８（全プログラムモード）が選択されていると見做してステップ９０１へ進む。
【００３６】
ステップ２０１では、状態表示装置５６の画面の上段に、「Ｔｖ」と「Ａｖ」と「Ｓｖ」の文字が表示される。ステップ２０２では、画面の下段に、Ｔｖ値とＡｖ値とＳｖ値が表示される（図３の〔モード１〕）。これらの値は、そのときシャッタースピード設定スイッチ９４、絞り環９８、および感度設定スイッチ９７によって設定されている値である。
【００３７】
ステップ２０３では、レリーズスイッチ５５がオン状態に定められているか否かが判定される。レリーズスイッチ５５がオフ状態であるとき、ステップ２０４において露出モードが変更されたか否かが判定され、変更されないときステップ２０２へ戻る。露出モードの変更はモード設定スイッチ９５を操作することによって行われる。レリーズスイッチ５５がオフ状態であり、かつ露出モードが変更されないとき、ステップ２０２、２０３、２０４が繰り返し実行される。この間に、シャッタースピード設定スイッチ９４、絞り環９８、あるいは感度設定スイッチ９７が操作されることによってＴｖ値、Ａｖ値、あるいはＳｖ値が変更されると、ステップ２０２では更新された値が表示される。
【００３８】
一方ステップ２０２、２０３、２０４の実行の間にレリーズスイッチ５５がオン状態に切り換えられると、ステップ２０３からステップ２０５へ進み、後述する撮影ルーチンが実行され、撮影動作制御ルーチンは終了する。また、露出モードが変更されるとステップ２０４からステップ１０２へ戻る。すなわち、変更された露出モードの種類に従ってステップ１０３〜１０８のいずれかを介して所定のステップへ進み、その露出モードに応じた処理が実行される。
【００３９】
ステップ３０１では、状態表示装置５６の画面の上段に、「Ａｖ」と「Ｓｖ」の文字が表示される。ステップ３０２では、画面の下段に、Ａｖ値とＳｖ値が表示される（図３の〔モード２〕）。これらの値は、そのとき絞り環９８と感度設定スイッチ９７によって設定されている値である。Ｔｖ値は後述するステップ３０６の実行により表示される。
【００４０】
ステップ３０３では、測光スイッチ５４がオン状態であるか否かが判定される。測光スイッチ５４がオフ状態であるとき、ステップ３０４において露出モードが変更されたか否かが判定され、変更されないときステップ３０２へ戻る。測光スイッチ５４がオフ状態であり、かつ露出モードが変更されないとき、ステップ３０２、３０３、３０４が繰り返し実行される。この間に、絞り環９８あるいは感度設定スイッチ９７が操作されることによってＡｖ値あるいはＳｖ値が変更されると、ステップ３０２では更新された値が表示される。
【００４１】
ステップ３０２、３０３、３０４の実行の間に測光スイッチ５４がオン状態に切り換えられると、ステップ３０３からステップ３０５へ進む。すなわち、被写体に対する測光が行われ、測光演算が実行されてＴｖ値が求められる。ステップ３０６ではＴｖ値が状態表示装置５６の画面上に表示される。
【００４２】
ステップ３０７では、レリーズスイッチ５５がオン状態に定められているか否かが判定される。レリーズスイッチ５５がオフ状態であるとき、ステップ３０８において測光スイッチ５４がオン状態に維持されているか否かが判定される。レリーズスイッチ５５がオフ状態であり、かつ測光スイッチ５４がオン状態であるとき、ステップ３０７、３０８が繰り返し実行される。この間に、レリーズスイッチ５５がオン状態に切り換えられると、ステップ３０７からステップ３０９へ進んで撮影ルーチンが実行され、撮影動作制御ルーチンは終了する。また、測光スイッチ５４がオフ状態に切り換えられるとステップ３０８からステップ３０２へ戻り、再びステップ３０２、３０３、３０４が繰り返し実行される。
【００４３】
ステップ３０２、３０３、３０４の実行の間に露出モードが変更されると、ステップ３０４からステップ１０２へ戻る。
【００４４】
ステップ４０１では、状態表示装置５６の画面の上段に、「Ｔｖ」と「Ｓｖ」の文字が表示される。ステップ４０２では、画面の下段に、Ｔｖ値とＳｖ値が表示される（図３の〔モード３〕）。これらの値は、そのときシャッタースピード設定スイッチ９４と感度設定スイッチ９７によって設定されている値である。Ａｖ値は後述するステップ４０６の実行によって表示される。
【００４５】
ステップ４０３では、測光スイッチ５４がオン状態であるか否かが判定される。測光スイッチ５４がオフ状態であるとき、ステップ４０４において露出モードが変更されたか否かが判定され、変更されないときステップ４０２へ戻る。測光スイッチ５４がオフ状態であり、かつ露出モードが変更されないとき、ステップ４０２、４０３、４０４が繰り返し実行される。この間に、シャッタースピード設定スイッチ９４あるいは感度設定スイッチ９７が操作されることによってＴｖ値あるいはＳｖ値が変更されると、ステップ４０２では更新された値が表示される。
【００４６】
ステップ４０２、４０３、４０４の実行の間に測光スイッチ５４がオン状態に切り換えられると、ステップ４０３からステップ４０５へ進む。すなわち、測光演算が実行されてＡｖ値が求められる。ステップ４０６ではＡｖ値が状態表示装置５６の画面上に表示される。一方、ステップ４０２、４０３、４０４の実行の間に露出モードが変更されると、ステップ４０４からステップ１０２へ戻る。
【００４７】
ステップ４０７〜４０９の作用はステップ３０７〜３０９と基本的に同じである。
【００４８】
ステップ５０１では、状態表示装置５６の画面の上段に、「Ｔｖ」と「Ａｖ」の文字が表示される。ステップ５０２では、画面の下段に、Ｔｖ値とＡｖ値が表示される（図３の〔モード４〕）。これらの値は、そのときシャッタースピード設定スイッチ９４と絞り環９８によって設定されている値である。Ｓｖ値は後述するステップ５０６の実行によって表示される。
【００４９】
ステップ５０３では、測光スイッチ５４がオン状態であるか否かが判定される。測光スイッチ５４がオフ状態であるとき、ステップ５０４において露出モードが変更されたか否かが判定され、変更されないときステップ５０２へ戻る。測光スイッチ５４がオフ状態であり、かつ露出モードが変更されないとき、ステップ５０２、５０３、５０４が繰り返し実行される。この間に、シャッタースピード設定スイッチ９４あるいは絞り環９８が操作されることによってＴｖ値あるいはＡｖ値が変更されると、ステップ５０２では更新された値が表示される。
【００５０】
ステップ５０２、５０３、５０４の実行の間に測光スイッチ５４がオン状態に切り換えられると、ステップ５０３からステップ５０５へ進む。すなわち測光演算が実行され、測光結果に基づいてＳｖ値が自動的に設定される。ステップ５０６では、設定されたＳｖ値が表示される。一方、ステップ５０２、５０３、５０４の実行の間に露出モードが変更されると、ステップ５０４からステップ１０２へ戻る。
【００５１】
ステップ５０７〜５０９の作用はステップ３０７〜３０９と基本的に同じである。
【００５２】
ステップ６０１では、状態表示装置５６の画面の上段に、「ＴｖＰ」と「ＡｖＰ」と「Ｓｖ」の文字が表示される。ステップ６０２では、画面の下段にＳｖ値が表示される（図３の〔モード５〕）。この値は、そのとき感度設定スイッチ９７によって設定されている値である。Ｔｖ値とＡｖ値は後述するステップ６０６の実行によって表示される。
【００５３】
ステップ６０３では、測光スイッチ５４がオン状態であるか否かが判定される。測光スイッチ５４がオフ状態であるとき、ステップ６０４において露出モードが変更されたか否かが判定され、変更されないときステップ６０２へ戻る。測光スイッチ５４がオフ状態であり、かつ露出モードが変更されないとき、ステップ６０２、６０３、６０４が繰り返し実行される。この間に、感度設定スイッチ９７が操作されることによってＳｖ値が変更されると、ステップ６０２では更新された値が表示される。
【００５４】
ステップ６０２、６０３、６０４の実行の間に測光スイッチ５４がオン状態に切り換えられると、ステップ６０３からステップ６０５へ進む。すなわち測光演算が実行され、測光結果に応じて、プログラム線図に従ってＴｖ値とＡｖ値が自動的に設定される。このプログラム線図の一例は図１４に示されるようなものである。ステップ６０６では、設定されたＴｖ値とＡｖ値が表示される。一方、ステップ６０２、６０３、６０４の実行の間に露出モードが変更されると、ステップ６０４からステップ１０２へ戻る。
【００５５】
ステップ６０７〜６０９の作用はステップ３０７〜３０９と基本的に同じである。
【００５６】
ステップ７０１では、状態表示装置５６の画面の上段に、「ＴｖＰ」と「Ａｖ」と「ＳｖＰ」の文字が表示される。ステップ７０２では、画面の下段にＡｖ値が表示される（図３の〔モード６〕）。この値は、そのとき絞り環９８によって設定されている値である。Ｔｖ値とＳｖ値は後述するステップ７０６の実行によって表示される。
【００５７】
ステップ７０３では、測光スイッチ５４がオン状態であるか否かが判定される。測光スイッチ５４がオフ状態であるとき、ステップ７０４において露出モードが変更されたか否かが判定され、変更されないときステップ７０２へ戻る。測光スイッチ５４がオフ状態であり、かつ露出モードが変更されないとき、ステップ７０２、７０３、７０４が繰り返し実行される。この間に、絞り環９８が操作されることによってＡｖ値が変更されると、ステップ７０２では更新された値が表示される。
【００５８】
ステップ７０２、７０３、７０４の実行の間に測光スイッチ５４がオン状態に切り換えられると、ステップ７０３からステップ７０５へ進む。すなわち測光演算が実行され、測光結果に応じて、プログラム線図に従ってＴｖ値とＳｖ値が自動的に設定される。このプログラム線図の一例は図１５に示されるようなものである。ステップ７０６では、設定されたＴｖ値とＳｖ値が表示される。一方、ステップ７０２、７０３、７０４の実行の間に露出モードが変更されると、ステップ７０４からステップ１０２へ戻る。
【００５９】
ステップ７０７〜７０９の作用はステップ３０７〜３０９と基本的に同じである。
【００６０】
ステップ８０１では、状態表示装置５６の画面の上段に、「Ｔｖ」と「ＡｖＰ」と「ＳｖＰ」の文字が表示される。ステップ８０２では、画面の下段にＴｖ値が表示される（図３の〔モード７〕）。この値は、そのときシャッタースピード設定スイッチ９４によって設定されている値である。Ａｖ値とＳｖ値は後述するステップ８０６の実行によって表示される。
【００６１】
ステップ８０３では、測光スイッチ５４がオン状態であるか否かが判定される。測光スイッチ５４がオフ状態であるとき、ステップ８０４において露出モードが変更されたか否かが判定され、変更されないときステップ８０２へ戻る。測光スイッチ５４がオフ状態であり、かつ露出モードが変更されないとき、ステップ８０２、８０３、８０４が繰り返し実行される。この間に、シャッタースピード設定スイッチ９４が操作されることによってＴｖ値が変更されると、ステップ８０２では更新された値が表示される。
【００６２】
ステップ８０２、８０３、８０４の実行の間に測光スイッチ５４がオン状態に切り換えられると、ステップ８０３からステップ８０５へ進む。すなわち測光演算が実行され、測光結果に応じて、プログラム線図に従ってＡｖ値とＳｖ値が自動的に設定される。このプログラム線図の一例は図１６に示されるようなものである。ステップ８０６では、設定されたＡｖ値とＳｖ値が表示される。一方、ステップ８０２、８０３、８０４の実行の間に露出モードが変更されると、ステップ８０４からステップ１０２へ戻る。
【００６３】
ステップ８０７〜８０９の作用はステップ３０７〜３０９と基本的に同じである。
【００６４】
ステップ９０１では、状態表示装置５６の画面の上段に、「ＴｖＰ」と「ＡｖＰ」と「ＳｖＰ」の文字が表示される（図３の〔モード８〕）。ステップ９０２では、測光スイッチ５４がオン状態であるか否かが判定される。測光スイッチ５４がオフ状態であるとき、ステップ９０３において露出モードが変更されたか否かが判定され、変更されないときステップ９０２へ戻る。測光スイッチ５４がオフ状態であり、かつ露出モードが変更されないとき、ステップ９０２、９０３が繰り返し実行される。
【００６５】
ステップ９０２、９０３の実行の間に測光スイッチ５４がオン状態に切り換えられると、ステップ９０２からステップ９０４へ進む。すなわち測光演算が実行され、測光結果に応じて、プログラム線図に従ってＴｖ値とＡｖ値とＳｖ値が自動的に設定される。このプログラム線図の一例は図１７に示されるようなものである。ステップ９０５では、設定されたＴｖ値とＡｖ値とＳｖ値が表示される。一方、ステップ９０２、９０３の実行の間に露出モードが変更されると、ステップ９０３からステップ１０２へ戻る。
【００６６】
ステップ９０６〜９０８の作用はステップ３０７〜３０９と基本的に同じである。
【００６７】
図１８は、図６のステップ２０５等において実行される撮影ルーチンのフローチャートである。撮影ルーチンはシステムコントローラ３１によって実行される。
【００６８】
ステップ２１１では、感度（Ｓｖ値）に対応したアンプ４８のゲインが設定される（図４参照）。ステップ２１２では、絞り１７の開度が開放状態からＡｖ値に対応した大きさまで閉方向に駆動される。ステップ２１３ではミラー２１がアップ駆動され、傾斜状態から水平状態まで回動せしめられる。
【００６９】
ステップ２１４では、絞り１７がＴｖ値に対応した速さで開閉駆動され、これによりＣＣＤ３３が露光される。ステップ２１５ではミラー２１がダウン駆動され、水平状態から傾斜状態まで回動せしめられる。ステップ２１６では絞り１７が全開状態まで開放駆動される。ステップ２１７では、ＣＣＤ３３から撮像信号が読み出され、上述した画像処理が施されてＰＣカード４３に記録される。
【００７０】
以上のように本実施形態では、モード４、６、７、８の説明から明らかなように、自動的に設定された感度（Ｓｖ値）が状態表示装置５６の画面上に表示されるので、撮影によって得られる画像の画質を予測することができる。したがって、被写界深度やブレなどの絵作りを優先して撮影しようとするならば、例えばシャッタースピード・絞り優先モード（モード４）において、シャッタースピード設定スイッチ９４および絞り環９８を操作して所望の露出を設定することによってその時の感度が表示されるので、その露出設定で撮影した時の画質を予測することができる。それをもって再度シャッタースピードおよび絞りの露出設定を見直すことができる。
【００７１】
【発明の効果】
以上のように本発明によれば、感度を自動的に設定することができ、また、設定された感度が表示されるので、撮影によって得られる画像の画質を容易に予測することができる。
【図面の簡単な説明】
【図１】本発明の一実施形態であるデジタルカメラを後方から見た斜視図である。
【図２】デジタルカメラの主に電気的構成を示すブロック図である。
【図３】状態表示装置の表示画面に表示される、各露出モードにおける表示例を示す図である。
【図４】感度とゲインの関係の一例を示す図である。
【図５】撮影動作制御ルーチンの最初の部分を示すフローチャートである。
【図６】撮影動作制御ルーチンのマニュアルモードの処理の部分を示すフローチャートである。
【図７】撮影動作制御ルーチンの絞り・感度優先モードの処理の部分を示すフローチャートである。
【図８】撮影動作制御ルーチンのシャッタースピード・感度優先モードの処理の部分を示すフローチャートである。
【図９】撮影動作制御ルーチンのシャッタースピード・絞り優先モードの処理の部分を示すフローチャートである。
【図１０】撮影動作制御ルーチンの感度優先プログラムモードの処理の部分を示すフローチャートである。
【図１１】撮影動作制御ルーチンの絞り優先プログラムモードの処理の部分を示すフローチャートである。
【図１２】撮影動作制御ルーチンのシャッタースピード優先プログラムモードの処理の部分を示すフローチャートである。
【図１３】撮影動作制御ルーチンの全プログラムモードの処理の部分を示すフローチャートである。
【図１４】感度優先プログラムモードの撮影動作において使用されるプログラム線図の一例を示す図である。
【図１５】絞り優先プログラムモードの撮影動作において使用されるプログラム線図の一例を示す図である。
【図１６】シャッタースピード優先プログラムモードの撮影動作において使用されるプログラム線図の一例を示す図である。
【図１７】全プログラムモードの撮影動作において使用されるプログラム線図の一例を示す図である。
【図１８】撮影ルーチンを示すフローチャートである。
【符号の説明】
３１　システムコントローラ
９４　シャッタースピード設定スイッチ
９７　感度設定スイッチ
９８　絞り環
【図１】
2004104673.tif 000003
【図２】
2004104673.tif 000004
【図３】
2004104673.tif 000005
【図４】
2004104673.tif 000006
【図５】
2004104673.tif 000007
【図６】
2004104673.tif 000008
【図７】
2004104673.tif 000009
【図８】
2004104673.tif 000010
【図９】
2004104673.tif 000011
【図１０】
2004104673.tif 000012
【図１１】
2004104673.tif 000013
【図１２】
2004104673.tif 000014
【図１３】
2004104673.tif 000015
【図１４】
2004104673.tif 000016
【図１５】
2004104673.tif 000017
【図１６】
2004104673.tif 000018
【図１７】
2004104673.tif 000019
【図１８】
2004104673.tif 000020